(57)【特許請求の範囲】
【請求項１】
リモコンカメラの制御を行う操作器であって、
表示手段と、
前記リモコンカメラの１以上の設定項目及び該設定項目の設定値に対応する複数の選択肢を表示する設定ウィンドウを前記表示手段に表示させる制御手段と、
前記制御手段に、選択した設定項目に対応する前記設定ウィンドウを前記表示手段に表示させる入力手段と、
前記表示手段に表示された前記設定ウィンドウ内の前記複数の選択肢から１つの選択肢を選択する第１の選択手段と、
前記第１の選択手段により選択された選択肢に対応する信号を前記リモコンカメラに送信する通信手段と、
を有し、
前記入力手段は、前記設定ウィンドウが前記表示手段に表示されている間は、前記設定ウィンドウの前記複数の選択肢を所定の順で選択する第２の選択手段として機能し、
前記通信手段は、前記第２の選択手段により選択された選択肢に対応する設定項目の設定値を該リモコンカメラに送信し、
前記設定ウィンドウを表示した後に前記入力手段または前記第２の選択手段が操作されてから、該第１の選択手段、該第２の選択手段及び前記入力手段が操作されることなく第１の時間が経過した場合、又は、前記設定ウィンドウを表示した後に前記第１の選択手段が操作されてから、前記第１の選択手段、前記第２の選択手段及び前記入力手段が操作されることなく第２の時間が経過した場合に、前記制御手段は前記設定ウィンドウを非表示とし、
前記第１の時間は前記第２の時間より長い、
ことを特徴とする操作器。
【請求項２】
前記入力手段及び前記第１の選択手段は、前記表示手段上の座標を特定するポインティングデバイスによって構成され、
前記制御手段は、前記リモコンカメラの設定項目をボタンイメージで前記表示手段上に表示し、前記ポインティングデバイスによって前記表示手段上の前記ボタンイメージの位置に対応する座標が特定された場合、前記制御手段は特定された前記ボタンイメージを覆い隠さない位置に前記設定ウィンドウを表示する、
ことを特徴とする請求項１に記載の操作器。
【請求項３】
前記ポインティングデバイスは前記表示手段上に配置されたタッチパネルであり、前記設定ウィンドウは、前記表示手段内の対応する前記ボタンイメージの上側に表示される、
ことを特徴とする請求項２に記載の操作器。
【請求項４】
前記設定ウィンドウが表示されているときに、前記第２の選択手段が一定時間以上押した状態を継続すると、該設定ウィンドウが非表示になる、
ことを特徴とする請求項２又は３に記載の操作器。
【請求項５】
音を発する音発生手段を有し、
該音発生手段は、前記入力手段を操作した時に第１の音を発する、
ことを特徴とする請求項１乃至４のいずれか１項に記載の操作器。
【請求項６】
前記操作器が前記リモコンカメラとの通信開始からの時間を測定し、記録する通信時間測定部を有し、
前記設定ウィンドウが表示されているときに前記第２の選択手段が操作され、前記通信時間測定部で測定された時間が所定の時間を経過した時、前記音発生手段は第２の音を発する、
ことを特徴とする請求項５に記載の操作器。
【請求項７】
請求項１乃至６のいずれか１項に記載の操作器と、該操作器によって操作されるリモコンカメラを有する、ことを特徴とするリモコンカメラシステム。
【発明の詳細な説明】
【技術分野】
【０００１】
本発明は、リモコンカメラの操作器に関し、特にリモコンカメラの設定を変更する方法に関するものである。
【背景技術】
【０００２】
従来より、離れた場所に設置されているリモコンカメラに対し、操作器から操作信号を送信することにより、リモコンカメラの撮影方向やリモコンカメラ内に搭載されているカメラの設定を変更できるリモコンカメラシステムが提案されている。操作器からリモコンカメラの、ＧＡＩＮやＳＨＵＴＴＥＲ、ＳＴＯＲＡＧＥなどの映像を変化させるカメラ機能などの設定を行う場合、その結果をカメラの映像出力で確認する項目が多数ある。これらは、操作器に装備されているモニタでリモコンカメラからの映像を確認するのではなく、操作器とは別に設けられた映像モニタで変更内容を確認する（特許文献１）。
【０００３】
特許文献２は、カメラの設定を変更するための操作器を開示しており、ここで、該操作器は、操作ボタン、設定画面を含んでいる。特許文献２の例では、操作器の特定の操作キーを押すことにより、操作器内の設定画面にカメラの設定項目を表示させ、ユーザが設定画面に表示された選択肢から選択することにより、カメラの設定が変更されることが開示されている。特許文献２では、設定項目であるＮＤフィルターとＣＣフィルターの設定画面にそれぞれ５段階の選択枝１〜５、Ａ〜Ｅのボタンイメージが例示されている。
【０００４】
ここで特許文献２の内容で重要なことは、設定画面内の選択枝がＮＤフィルターの設定値として、１〜５又はＡ〜Ｅのボタンイメージが並んでおり、変更したい値を直接選択できるようになっている点である。これは、放送局用途で重要な役割を果たす。例えばビル陰の暗い場所を撮影している状態から、リモコンカメラをパン操作して、日差しが当っている明るい場所を撮影する場合を考える。その場合、リハーサル段階で日差しが当っている場所と当っていない場所のＮＤフィルターを選定しておき、オンエアー時、暗い場所から明るい場所を撮影したとき、選定済みのＮＤフィルターを直接選択し、変更することが可能となる。このため、放送局用途では、カメラの設定値を段階的にではなく、直接選択し設定を切換えるための設定画面が必要である。
【先行技術文献】
【特許文献】
【０００５】
【特許文献１】特開２００２−０５１２３６号公報
【特許文献２】特開２０００−３０７９００号公報
【発明の概要】
【発明が解決しようとする課題】
【０００６】
しかしながら、上述の特許文献に開示された従来例では、課題が２つあった。一つは、リモコンカメラの設定を変更する際、設定画面に必要なカメラの設定項目を表示させるキーの位置と、表示された設定画面内の選択枝を選択するボタンの位置が異なっていることである。そのため、ユーザは設定画面を表示させるキーを押した後、設定画面が表示されるのを確認し、操作モニタ上の選択枝を選択するまで、映像モニタへ視線を向けることができない。従来例におけるもう一つの課題について、特許文献２で適切なＮＤフィルターを選択する場合を例にして説明する。図１１にＮＤフィルターの選択プロセスを示す。ステップ１１０１でユーザはＮＤフィルターの設定画面を開くために、特許文献２の操作器のある特定の操作キーを押す。ステップ１１０２でＮＤフィルターの設定画面が表示された後、ステップ１１０３にて選択肢１〜５のいずれかの選択枝を選択する。ステップ１１０４で視線を映像モニタへ移し、映像を確認する。ステップ１１０５でＮＤフィルターの変更が必要かを判断し、ＮＤフィルターの変更が必要と判断した場合はステップ１１０６で視線を操作モニタへ移す（戻す）。そして、再度ステップ１１０３においてＮＤフィルターを選択（変更）し、ステップ１１０４にて視線を映像モニタする。リハーサルの段階では、現在の映像に対して何ｄＢのＮＤフィルターを入れるべきかは分かっていない。そのため、ＮＤフィルターの調整を行うためには、ステップ１１０４と１１０６を繰り返し行う、つまり視線を映像モニタと操作モニタとに交互に向けなければならず、操作が煩雑であった。
【０００７】
そこで、本発明の目的は、ユーザが映像モニタを見ながらリモコンカメラの設定項目を変更する場合において、設定画面を表示させる段階で映像モニタへ視線を移すことができ、かつ、設定内容の変更を行う際に、映像モニタと操作モニタへ視線を交互に向けることなく設定項目を変更できることが可能なリモコンカメラ操作器を提供することである。
【課題を解決するための手段】
【０００８】
上記課題を解決するために、リモコンカメラの制御を行う操作器であって、表示手段と、前記リモコンカメラの１以上の設定項目及び該設定項目の設定値に対応する複数の選択肢を表示する設定ウィンドウを前記表示手段に表示させる制御手段と、前記制御手段に、選択した設定項目に対応する前記設定ウィンドウを前記表示手段に表示させる入力手段と、前記表示手段に表示された前記設定ウィンドウ内の前記複数の選択肢から１つの選択肢を選択する第１の選択手段と、前記第１の選択手段により選択された選択肢に対応する信号を前記リモコンカメラに送信する通信手段と、を有し、前記入力手段は、前記設定ウィンドウが前記表示手段に表示されている間は、前記設定ウィンドウの前記複数の選択肢を所定の順で選択する第２の選択手段として機能し、前記通信手段は、前記第２の選択手段により選択された選択肢に対応する設定項目の設定値を該リモコンカメラに送信し、前記制御手段は、前記設定ウィンドウを表示した後に前記入力手段または前記第２の選択手段が操作されてから、該第１の選択手段、該第２の選択手段及び前記入力手段が操作されることなく第１の時間が経過した場合、又は、前記設定ウィンドウを表示した後に前記第１の選択手段が操作されてから、前記第１の選択手段、前記第２の選択手段及び前記入力手段が操作されることなく第２の時間が経過した場合に、前記制御手段は前記設定ウィンドウを非表示とし、前記第１の時間は前記第２の時間より長い、ことを特徴とする。
【発明の効果】
【０００９】
本発明によれば、ユーザが映像モニタを見ながらリモコンカメラの設定項目を変更する場合において、設定画面を表示させる段階で映像モニタへ視線を移すことができ、かつ、映像モニタと操作モニタへ視線を交互に向けることなく設定項目を変更できることが可能なリモコンカメラ操作器を提供することができる。
【図面の簡単な説明】
【００１０】
【図１】実施例１の全体ブロック図である。
【図２】実施例１の操作モニタの画面を示す図である。
【図３】実施例１で設定画面を示す図である。
【図４】実施例１で設定画面を示す図である。
【図５】設定画面起動手段を操作したときのサイクリック動作を説明する図である。
【図６】実施例２の全体ブロック図である。
【図７】実施例３の全体ブロック図である。
【図８】実施例３の操作パネルを示す図である。
【図９】実施例３の操作モニタと操作モニタ周辺のハードボタンの位置を説明する図である。
【図１０】実施例３の操作モニタと操作モニタ周辺のハードボタンの位置を説明する図である。
【図１１】従来例での操作を説明するフローチャートである。
【発明を実施するための形態】
【００１１】
以下に、本発明の好ましい実施の形態を、添付の図面に基づいて詳細に説明する。
【実施例１】
【００１２】
図１は本発明が適用された実施形態におけるリモコンカメラシステムの全体ブロック図である。
【００１３】
本実施例のリモコンカメラシステムは、カメラ１０２及び通信ＩＦ１０３を有するリモコンカメラ１０１と、リモコンカメラ１０１を操作する操作器１０８を有する。操作器１０８にあるタッチパネル１１３は、表示手段としての操作モニタ１０５上に配置され、タッチパネル１１３で検出した座標位置と、操作モニタ１０５の画面上の座標が一致するように位置決めされている。したがって、ユーザが操作モニタ１０５に表示されたボタンイメージ(不図示)に触れると、触れた座標に対応した電圧がタッチパネル１１３から出力される。タッチパネル１１３から出力した位置電圧は、タッチパネルドライバ１０９に渡され、ＸＹ座標に変換された後、ＣＰＵ１０４に渡される。ＣＰＵ１０４では、ユーザがタッチした座標が操作モニタ１０５に表示されたボタンイメージの座標内にあるかの判断を行う。もし、ボタンイメージ内をタッチされたと判断した場合は、タッチした指がタッチパネルから離れたときに、ボタンイメージに予め割り当てられている機能を実行する。ボタンイメージに割り当てられている機能は、例えば、リモコンカメラのＮＤフィルターやゲインを変更するなどの機能を指す。ここでは説明を簡単にするため、ＮＤフィルターを1/16に設定するという機能が割り当てられていたとする。ＣＰＵ１０４で機能の実行が判断された場合、ＣＰＵ１０４は通信手段である通信ＩＦ１１０へＮＤフィルター1/16のコマンドを送信する。通信ＩＦ１１０では、ＮＤフィルター1/16のコマンドを制御回線１１１を通してリモコンカメラへ送信する。このブロック図において、制御回線１１１および映像回線１１２は、単に線で接続されているが、実際には、専用線や公衆回線などさまざまなインフラを使用している。リモコンカメラ１０１の通信ＩＦ１０３では、制御回線１１１を通して受信したＮＤフィルター1/16のコマンドを解釈しカメラと通信を行いカメラの設定を変更する。設定が変更されたカメラの映像は、映像回線１１２を通り、映像モニタ１０７に表示される。
【００１４】
操作モニタ１０５内でＮＤフィルターを1/16に変更する方法を説明する。図２は、リモコンカメラの設定を行う画面２０１であり、図１の操作モニタ１０５上にタッチパネル１１３が適切な位置に張り合わせてある。ユーザが操作モニタ１０５上に表示されたイメージをタッチするとタッチパネル１１３からタッチされた場所（表示手段上の座標）に対応した電圧が出力されるようになっている。リモコンカメラの設定項目２０２〜２０５ごとに、対応する設定ウィンドウをポップアップするための設定ウィンドウ起動手段としてのボタンイメージ２０６〜２０９が表示されている。
【００１５】
ここで本実施例では、ＮＤフィルターを1/16に変更するには２通りの方法がある。１つは、放送局のカメラリハーサル時に使用される変更方法である。リハーサル時は、ＮＤフィルターの値をどの値に設定するかが決まっていない。現状の映像を図１の映像モニタ１０７で確認しながら、段階的にＮＤフィルターを入れてみる必要がある。まずユーザはリモコンカメラの設定項目であるＮＤフィルターのボタンイメージ２０８をタッチする。すると、図３に示すＮＤフィルターの設定ウィンドウ３０２が表示される。このとき、ＮＤフィルターの設定ウィンドウ３０２は、ボタンイメージ２０８を覆い隠さない位置に表示されると共に、ボタンイメージ２０８の上側に表示される。ボタンイメージ２０８を覆い隠さない位置に表示されるのは、設定ウィンドウ３０２が表示されている間もボタンイメージ２０８が有効であり、押せるようにするためである。設定ウィンドウ３０２がボタンイメージ２０８の上側に表示されるのは、手でボタンイメージ２０８を押したときに、設定ウィンドウ３０２がユーザの手で隠れて、設定ウィンドウ３０２がユーザから視認できないことがないようにするためである。ＮＤフィルターの設定ウィンドウ内３０２には、ＮＤフィルターの設定値の複数の選択肢から選択するための第１の選択手段としてのボタンイメージ３０４〜３０７が表示されている。現在、ＮＤフィルターは、1/1に設定されているため、1/1に対応するボタンイメージ３０４は、黄色、ボタンイメージ３０５〜３０７は灰色で表示されている。この後、黄色を選択色、灰色を通常色と表記することにする。ボタンイメージ３０３を押すことによって、ＮＤフィルターの設定ウィンドウ３０２を閉じることができる。この設定ウィンドウ３０２が表示された状態で、再度ボタンイメージ２０８を押すと、図４のように、ボタンイメージ３０４が通常色になるとともにボタンイメージ３０５が選択色になる。同様に再度ボタンイメージ２０８を押すと、ボタンイメージ３０６が選択色となり、ボタンイメージ３０４，３０５，３０７が通常色となる。これにより、ＮＤフィルターを1/16に選択することができる。ボタンイメージ２０８を押し、選択枝を変更する場合、選択枝は順送りされ、図５のようにサイクリックに変化する。図５の1/1,1/4,1/16,1/64は、ＮＤフィルターの選択枝であり、ボタンイメージ２０８を押す度に変更される選択枝の順序を示している。つまり、1/16が選択されている状態から1/1を選択するには、ボタンイメージ２０８を２回押せば良い。ここで重要な点は、設定ウィンドウが表示されると、ボタンイメージ２０８は、設定ウィンドウ起動手段としてのボタンイメージから第２の選択手段としてのボタンイメージに機能が変化することである。そのため、選択枝を選択する工程になっても操作モニタ上でタッチする場所が同じであり、設定ウィンドウを表示した段階で図１の映像モニタ１０７へ視線を向けることができる。さらに、その後も、操作モニタに視線を向けることなく映像モニタ１０７を見ながら、適切なＮＤフィルターの値を設定することが可能になる。この方法でＮＤフィルターの値が変更された後、ユーザが一定時間操作をしない場合、設定ウィンドウ３０２は非表示となる。この時間は、選択手���及び設定ウィンドウ起動手段を操作しない第１の時間に相当し、本実施例おいては１５秒に設定してある。ボタンイメージ２０８を押し、ＮＤフィルターの設定値を変更しているときは、ユーザがどの設定値にすべきかを決めている最中であるため、非表示までの時間はある程度長くしておく必要がある。
【００１６】
もう１つの方法は、放送局でオンエアー中に使用される変更方法である。この方法は、従来例と同様に、ボタンイメージ２０８にタッチし、図３のようなＮＤフィルターの設定ウィンドウを表示後、ボタンイメージ３０６にタッチする。これにより、直接ＮＤフィルターの値を１/16に変更することができる。この方法でＮＤフィルターを変更する場合は、予め変更する値が決まっていて、オンエアー中のあるタイミングで切換えるという使い方になる。この方法でＮＤフィルターの値が変更された後、ユーザが一定時間操作をしない場合、設定ウィンドウ３０２は非表示となる。この時間は、選択手段及び設定ウィンドウ起動手段を操作しない第２の時間に相当し、本実施例おいては１秒に設定してある。選択枝であるボタンイメージ３０４〜３０７で、ＮＤフィルターの設定値を選択した場合は、設定したい値が予め決っているため、非表示までの時間は短くてよい。
【００１７】
本実施例では、図３の設定ウィンドウ３０２は一定時間経過後、自動的に閉じる説明をしたが強制的に非表示にする方法もある。閉じるボタン３０３にタッチする方法、または、ボタンイメージ２０８を一定時間以上押した状態を継続(長押し)する方法等である。本実施例では、ボタンイメージ２０８を２秒間 長押しすると、設定ウィンドウ３０２が非表示になる。
【００１８】
なお、本実施例では、操作モニタ１０５上に表示されたボタンイメージを、タッチパネルにより選択したが、タッチパネルの替わりに、表示モニタ１０５上（表示手段内）の座標を特定できるマウスのようなポインティングデバイスを構成し、ボタンイメージを選択しても良い。
【実施例２】
【００１９】
実施例１を更に発展させた形態として実施例２を説明する。
【００２０】
第２の実施例は、第１の実施例に対して、音を発する機能を有する音発生手段を有することを相違点として有する。図６は、図１の構成にスピーカー６２０とアンプ６２１、メモリ６２４を追加したものである。追加されたアンプ６２１とスピーカー６２０、メモリ６２４以外は、実施例１と同じ構成であるため詳しい説明は省き、追加された部分に関して説明する。アンプ６２１は、ＣＰＵ１０４と配線６２３と配線６２２で接続されている。配線６２２には、ＣＰＵ１０４からの音声信号が伝送される。実際の音声信号はＰＷＭ信号である。配線６２３には、ＣＰＵ１０４から音量を制御する信号が伝送される。実際には、ＣＰＵのＤ／Ａから出力される０〜５Ｖの電圧である。アンプ６２１では、配線６２２から伝送された音声信号を、配線６２３から伝送された音量制御信号に基づき増幅し、スピーカー６２０へ送る。スピーカー６２０では、受信した音声信号を音へ変換し出力する。メモリ６２４はＣＰＵ１０４に接続される。操作器とリモコンカメラの通信時間を測定するため、ＣＰＵ１０４はリモコンカメラと通信を開始するときに、測定コマンドを送信する。測定コマンドは、操作器の通信ＩＦ１１０、リモコンカメラの通信ＩＦ１０３、カメラ１０２の順に送信される。その応答信号は、測定コマンドとは逆の順に伝送され、ＣＰＵ１０４に到達する。ＣＰＵ１０４では、測定コマンドを送信してから応答信号を受信するまでの時間（通信時間）をメモリ６２４に記録する。つまり、メモリ６２４とＣＰＵ１０４で通信時間測定機能を有する通信時間測定部を構成している。
【００２１】
実施例１と同様にＣＰＵ１０４では、ユーザがタッチした座標が操作モニタ１０５に表示されたボタンイメージの座標内にあるかの判断を行う。もし、ボタンイメージ内がタッチされたと判断した場合は、ボタンイメージに予め割り当てられている機能を実行すると共にアンプ６２１へ音声信号を送り第１の選択音として第１の音を鳴らす。このときのＰＷＭの周波数は１ｋＨｚである。その後、メモリ６２４に記録されている通信時間が経過後、ＣＰＵ１０４は配線６２２へ第２の選択音として音声信号を送信し、スピーカー６２０から第２の選択音（第２の音）が出力される。このときのＰＷＭの周波数は２００Ｈｚである。
【００２２】
第１の選択音は、ユーザがタッチパネルを操作し、操作器が反応したことを認識できるようにするためにある。タッチパネルの場合、ハードスイッチのように、ボタンを押したときのストロークがないため、図１の映像モニタ１０７を見ながらタッチパネルを操作した場合、操作器が受け付けたかが分かりにくい。そのために第１の選択音を鳴らす。第２の選択音は、次のコマンドが送信可能になったことを知らせる役割がある。従来技術でも説明したが、操作器とリモコンカメラを接続しているインフラは多様である。例えば、操作器とリモコンカメラが互いに遠距離離れて使用され、制御回線１１１は、通信衛星を経由した通信によるような場合もある。その場合、操作器である操作を行ってから次の操作ができるようになるには、時間がかかる。操作禁止状態であることを操作モニタ１０５上で表示しても、例えば、ユーザは映像モニタ１０７に表示された設定ウィンドウを見ながら第２の選択手段であるボタンイメージを操作するため、それに気づくことができない。そこで、第２の選択音が鳴ることで、ユーザは映像モニタ１０７を見たまま操作器での次の操作が可能になったことを知ることができるため、映像モニタを見ながらの操作が可能になる。
【００２３】
なお、本実施例の構成では、メモリ６２４を構成し、操作器がリモコンカメラと通信を開始したときからの経過時間を記録する。そして、この記録された経過時間に基づき、第２の選択音を出力するタイミングを決定している。たとえば、この記録された経過時間が所定の時間を経過したとき、第２の選択音を出力するようにしてもよい。しかし、メモリを持たずに、設定項目の値を変更するコマンドを送信し、その応答信号がリモコンカメラから戻って来たタイミングで第２の選択音を出力してもよい。
【実施例３】
【００２４】
図７を参照しながら、本発明の第３の実施例を説明する。
【００２５】
図７に示すように、第３の実施例においては、図１に示した第１の実施例の構成に対し、タッチパネルドライバ１０９とタッチパネル１１３を削除し、ハードボタン７１４〜７２１を追加したものである。追加されたハードボタンはＣＰＵ１０４に接続されている。その他の構成および動作は実施例１と同じであるため、詳しい説明は省き、追加された部分に関して説明する。図８は、実施例３における操作モニタ１０５、設定ウィンドウ起動手段としてのハードボタン７１８〜７２１、及び、選択手段としてのハードボタン７１４〜７１７の配置図である。
【００２６】
ここで実施例１と同様にＮＤフィルターを1/16に変更する方法を２通り説明する。
【００２７】
１つの方法は、放送局のカメラリハーサル時に使用される変更方法である。リハーサル時は、ＮＤフィルターの値をどの値に設定するかが決まっていない。現状の映像を図７の映像モニタ１０７で確認しながら、段階的にＮＤフィルターを入れてみる必要がある。まずユーザはリモコンカメラの設定項目であるＮＤフィルターのハードボタン７１８を押す。すると、図９に示すようなＮＤフィルターの設定画面９０５が操作モニタ１０５の全体に表示される。図９は、図８の操作モニタ１０５の部分を拡大したものである。ＮＤフィルターの設定画面９０５には、選択枝９０１〜９０４が表示されており、ハードボタン７１４〜７１７と対応している。現在、ＮＤフィルターは、1/1に設定されているため、選択枝９０１は実施例１と同様に選択色である黄色で表示されている。この設定画面９０５が表示された状態で、再度図８のハードボタン７１８を押すと、図１０のように、選択枝９０２が選択色になるとともに選択枝９０１が通常色となる。同様に再度ハードボタン７１８を押すと、選択枝９０３が選択色となり、選択枝９０１、９０２、９０４が通常色となる。これにより、ＮＤフィルターを1/16に選択することができる。ハードボタン７１８を押し、選択枝を変更する場合、選択枝は順送りされ、図５のようにサイクリックに変化する。実施例１と同様に、1/16が選択されている状態から1/1を選択するには、ハードボタン７１８を２回押せば良い。
【００２８】
もう１つの方法は、放送局でオンエアー中に使用される変更方法である。この方法は、従来例と同様に、ハードボタン７１８をタッチし、図９のようなＮＤフィルターの設定画面を表示後、ハードボタン７１６を押す。これにより、直接ＮＤフィルターの値を１/16に変更することができる。この方法でＮＤフィルターを変更する場合は、予め変更する値が決まっていて、あるタイミングでオンエアー中に切換えるという使い方になる。
【００２９】
以上、本発明の好ましい実施形態について説明したが、本発明はこれらの実施形態に限定されず、その要旨の範囲内で種々の変形及び変更が可能である。
【符号の説明】
【００３０】
１０１  リモコンカメラ
１０５  操作モニタ
１１０  通信ＩＦ
２０２  ＩＳの状態表示
２０３  ＤＥＦの状態表示
２０４  ＮＤフィルターの状態表示
２０５  ＳＴＯＲＡＧＥの状態表示
２０６  ＩＳの設定画面起動手段としてのボタンイメージ
２０７  ＤＥＦの設定画面起動手段としてのボタンイメージ
２０８  ＮＤフィルターの設定画面起動手段としてのボタンイメージ
２０９  ＳＴＯＲＡＧＥの設定画面起動手段としてのボタンイメージ
３０４〜３０７  ＮＤフィルターの選択枝としてのボタンイメージ
【図１】
0005637821.tif 000002
【図２】
0005637821.tif 000003
【図３】
0005637821.tif 000004
【図４】
0005637821.tif 000005
【図５】
0005637821.tif 000006
【図６】
0005637821.tif 000007
【図７】
0005637821.tif 000008
【図８】
0005637821.tif 000009
【図９】
0005637821.tif 000010
【図１０】
0005637821.tif 000011
【図１１】
0005637821.tif 000012